(57)【要約】      （修正有）【課題】外部電源を使用しないで、自動的に、夜間には内部（室内）の光を遮断して、外部（室外）に漏れ出ないようにし、日中には外部（室外）の光を取り入れることができる遮光機能付き太陽電池および自動調光パネルを提供する。【解決手段】２枚の外側構造透明板１ａ，１ｂと、外側構造透明板１ａ，１ｂの間に挟まれて配置された、透明有機薄膜太陽電池パネル２および液晶パネル３、ならびに、透明有機薄膜太陽電池パネルからの直流電力を交流電力へ変換し、液晶パネルを駆動するＤＣ／ＡＣ変換器４とで構成される自動調光パネルであって、太陽電池パネルは、太陽光を受光する側に配置されており、夜間は液晶パネルに透明有機薄膜太陽電池パネルからの電力がなく、液晶パネルを遮断状態とし、日中は透明有機薄膜太陽電池パネルからの電力によって、液晶パネルを透過状態とする自動調光パネルとする。【選択図】図３
2015071910.tif 000002
【特許請求の範囲】
【請求項１】
透明有機薄膜太陽電池パネルと、
液晶パネルとが積層され、
前記透明有機薄膜太陽電池パネルからの直流電力を交流電力へ変換し、前記液晶パネルを駆動するＤＣ／ＡＣ変換器が配置されて構成された遮光機能付き太陽電池であって、
前記遮光機能付き太陽電池は、
夜間は、前記透明有機薄膜太陽電池パネルからの電力が発生せず、前記液晶パネルを遮断状態とし、日中は、前記透明有機薄膜太陽電池パネルからの電力によって、前記液晶パネルを透過状態とすることを特徴とする遮光機能付き太陽電池。
【請求項２】
前記透明有機薄膜太陽電池パネル、および前記液晶パネルが、共に、湾曲が可能なフイルム形体であることを特徴とする請求項１記載の遮光機能付き太陽電池。
【請求項３】
前記透明有機薄膜太陽電池パネルが湾曲が可能なフイルム形体であり、前記液晶パネルが、ガラス形体であることを特徴とする請求項１記載の遮光機能付き太陽電池。
【請求項４】
前記透明有機薄膜太陽電池パネルがガラス形体であり、前記液晶パネルが、湾曲が可能なフイルム形体であることを特徴とする請求項１記載の遮光機能付き太陽電池。
【請求項５】
前記透明有機薄膜太陽電池パネル、および前記液晶パネルが、共に、ガラス形体であることを特徴とする請求項１記載の遮光機能付き太陽電池。
【請求項６】
前記ＤＣ／ＡＣ変換器が、前記液晶パネルを駆動する周波数は、２０Ｈｚ以上から１ｋＨｚ以下の範囲であることを特徴とする請求項１に記載の遮光機能付き太陽電池。
【請求項７】
前記ＤＣ／ＡＣ変換器が、前記液晶パネルを駆動する電圧波形は、プラス側の波形の時間と、マイナス側の波形の時間とが異る非対称な交流波形であることを特徴とする請求項６記載の遮光機能付き太陽電池。
【請求項８】
１枚の外側構造透明板と、
透明有機薄膜太陽電池パネルと、
液晶パネルとがこの順に積層され、
ならびに、前記透明有機薄膜太陽電池パネルからの直流電力を交流電力へ変換し、前記液晶パネルを駆動するＤＣ／ＡＣ変換器とで構成された自動調光パネルであって、
前記自動調光パネルは、前記１枚の外側構造透明板が、太陽光を受光する側に配置されており、
夜間は、前記透明有機薄膜太陽電池パネルからの電力がなく、前記液晶パネルを遮断状態とし、日中は、前記透明有機薄膜太陽電池パネルからの電力によって、前記液晶パネルを透過状態とすることを特徴とする自動調光パネル。
【請求項９】
２枚の外側構造透明板と、
前記２枚の外側構造透明板の間に挟まれて、
透明有機薄膜太陽電池パネルと、
液晶パネルとが積層され、
ならびに、前記透明有機薄膜太陽電池パネルからの直流電力を交流電力へ変換し、前記液晶パネルを駆動するＤＣ／ＡＣ変換器とで構成された自動調光パネルであって、
前記太陽有機薄膜電池パネルは、太陽光を受光する側に配置されており、夜間は、前記透明有機薄膜太陽電池パネルからの電力がなく、前記液晶パネルを遮断状態とし、日中は、前記透明有機薄膜太陽電池パネルからの電力によって、前記液晶パネルを透過状態とすることを特徴とする自動調光パネル。
【請求項１０】
前記透明有機薄膜太陽電池パネル、および前記液晶パネルが、共に、湾曲が可能なフイルム形体であることを特徴とする請求項８または９記載の自動調光パネル。
【請求項１１】
前記透明有機薄膜太陽電池パネルが湾曲が可能なフイルム形体であり、前記液晶パネルが、ガラス形体であることを特徴とする請求項８または９記載の自動調光パネル。
【請求項１２】
前記透明有機薄膜太陽電池パネルがガラス形体であり、前記液晶パネルが、湾曲が可能なフイルム形体であることを特徴とする請求項８または９記載の自動調光パネル。
【請求項１３】
前記透明有機薄膜太陽電池パネル、および前記液晶パネルが、共に、ガラス形体であることを特徴とする請求項８または９記載の自動調光パネル。
【請求項１４】
前記外側構造透明板は、ガラス形体、あるいは湾曲が可能なフイルム形体であることを特徴とする請求項８または９記載の自動調光パネル。
【請求項１５】
前記外側構造透明板は、ステンドグラスであることを特徴とする請求項８または９に記載の自動調光パネル。
【請求項１６】
前記ＤＣ／ＡＣ変換器が、前記液晶パネルを駆動する周波数は、２０Ｈｚ以上から１ｋＨｚ以下の範囲であることを特徴とする請求項８または９に記載の自動調光パネル。
【請求項１７】
前記ＤＣ／ＡＣ変換器が、前記液晶パネルを駆動する電圧波形は、プラス側の波形の時間と、マイナス側の波形の時間とが異なっている非対称な交流波形であることを特徴とする請求項１６記載の自動調光パネル。
【発明の詳細な説明】
【技術分野】
【０００１】
本発明は、外部電源を全く不要とし、自動的に、夜間は、液晶パネルを遮断状態とし、日中は、液晶パネルを透過状態とする遮光機能付き太陽電池および自動調光パネルに関する。
【背景技術】
【０００２】
従来の調光パネルは、構造透明板の間に、液晶パネルを配置し、外部電源から、前記液晶パネルを、透過状態あるいは遮断状態とした方式が一般的であった。
特許文献１には、パネルの端部に、太陽電池、および蓄電池、制御回路を配置した液晶ブラインド付き透明パネルについて記載されている。
【先行技術文献】
【特許文献】
【０００３】
【特許文献１】特開２００４−１２８１８号公報
【発明の概要】
【発明が解決しようとする課題】
【０００４】
従来の調光パネルの問題点は、外部電源を必要とすることであった。また、特許文献１では、太陽電池、蓄電池を用いているが、前記太陽電池は、透明型ではなく、パネルの一部領域のみで太陽光を受ける方式であって、太陽光からの受光効率に問題があった。
【０００５】
本発明の課題は、外部電源を使用しないで、自動的に、夜間には内部（室内）の光を遮断して、外部（室外）に漏れ出ないようにし、日中には外部（室外）の光を取り入れることができる遮光機能付き太陽電池および自動調光パネルを提供することである。
【課題を解決するための手段】
【０００６】
本発明の請求項１に係る発明は、透明有機薄膜太陽電池パネルと、液晶パネルとが積層され、前記透明有機薄膜太陽電池パネルからの直流電力を交流電力へ変換し、前記液晶パネルを駆動するＤＣ／ＡＣ変換器が配置されて構成された遮光機能付き太陽電池であって、
前記遮光機能付き太陽電池は、夜間は、前記透明有機薄膜太陽電池パネルからの電力が発生せず、前記液晶パネルを遮断状態とし、日中は、前記透明有機薄膜太陽電池パネルからの電力によって、前記液晶パネルを透過状態とすることを特徴とする遮光機能付き太陽電池である。
【０００７】
本発明の請求項２に係る発明は、前記透明有機薄膜太陽電池パネル、および前記液晶パネルが、共に、湾曲が可能なフイルム形体であることを特徴とする請求項１記載の遮光機能付き太陽電池である。
【０００８】
本発明の請求項３に係る発明は、前記透明有機薄膜太陽電池パネルが湾曲が可能なフイルム形体であり、前記液晶パネルが、ガラス形体であることを特徴とする請求項１記載の遮光機能付き太陽電池である。
【０００９】
本発明の請求項４に係る発明は、前記透明有機薄膜太陽電池パネルがガラス形体であり、前記液晶パネルが、湾曲が可能なフイルム形体であることを特徴とする請求項１記載の遮光機能付き太陽電池である。
【００１０】
本発明の請求項５に係る発明は、前記透明有機薄膜太陽電池パネル、および前記液晶パネルが、共に、ガラス形体であることを特徴とする請求項１記載の遮光機能付き太陽電池である。
【００１１】
本発明の請求項６に係る発明は、前記ＤＣ／ＡＣ変換器が、前記液晶パネルを駆動する周波数は、２０Ｈｚ以上から１ｋＨｚ以下の範囲であることを特徴とする請求項１に記載の遮光機能付き太陽電池。
【００１２】
ここで、液晶パネルの駆動周波数が、２０Ｈｚ未満であると液晶パネルに、ちらつきが生じ、１ｋＨｚを超えると、液晶パネルを駆動するために高いエネルギーが必要となり、エネルギーロスが生ずる。
【００１３】
本発明の請求項７に係る発明は、前記ＤＣ／ＡＣ変換器が、前記液晶パネルを駆動する電圧波形は、プラス側の波形の時間と、マイナス側の波形の時間とが異る非対称な交流波形であることを特徴とする請求項６記載の遮光機能付き太陽電池である。
【００１４】
本発明の請求項８に係る発明は、１枚の外側構造透明板と、透明有機薄膜太陽電池パネルと、液晶パネルとがこの順に積層され、ならびに、前記透明有機薄膜太陽電池パネルからの直流電力を交流電力へ変換し、前記液晶パネルを駆動するＤＣ／ＡＣ変換器とで構成された自動調光パネルであって、前記自動調光パネルは、前記１枚の外側構造透明板が、太陽光を受光する側に配置されており、夜間は、前記透明有機薄膜太陽電池パネルからの電力がなく、前記液晶パネルを遮断状態とし、日中は、前記透明有機薄膜太陽電池パネルからの電力によって、前記液晶パネルを透過状態とすることを特徴とする自動調光パネルである。
【００１５】
本発明の請求項９に係る発明は、２枚の外側構造透明板と、前記２枚の外側構造透明板の間に挟まれて、透明有機薄膜太陽電池パネルと、液晶パネルとが積層され、ならびに、前記透明有機薄膜太陽電池パネルからの直流電力を交流電力へ変換し、前記液晶パネルを駆動するＤＣ／ＡＣ変換器とで構成された自動調光パネルであって、前記透明有機薄膜太陽電池パネルは、太陽光を受光する側に配置されており、夜間は、前記透明有機薄膜太陽電池パネルからの電力がなく、前記液晶パネルを遮断状態とし、日中は、前記透明有機薄膜太陽電池パネルからの電力によって、前記液晶パネルを透過状態とすることを特徴とする自動調光パネルである。
【００１６】
本発明の請求項１０に係る発明は、前記透明有機薄膜太陽電池パネル、および前記液晶パネルが、共に、湾曲が可能なフイルム形体であることを特徴とする請求項８または９記載の自動調光パネルである。
【００１７】
本発明の請求項１１に係る発明は、前記透明有機薄膜太陽電池パネルが湾曲が可能なフイルム形体であり、前記液晶パネルが、ガラス形体であることを特徴とする請求項８または９記載の自動調光パネルである。
【００１８】
本発明の請求項１２に係る発明は、前記透明有機薄膜太陽電池パネルがガラス形体であり、前記液晶パネルが、湾曲が可能なフイルム形体であることを特徴とする請求項８または９記載の自動調光パネルである。
【００１９】
本発明の請求項１３に係る発明は、前記透明有機薄膜太陽電池パネル、および前記液晶パネルが、共に、ガラス形体であることを特徴とする請求項８または９記載の自動調光パネルである。
【００２０】
本発明の請求項１４に係る発明は、前記外側構造透明板は、ガラス形体、あるいは湾曲が可能なフイルム形体であることを特徴とする請求項８または９記載の自動調光パネルである。
【００２１】
本発明の請求項１５に係る発明は、前記外側構造透明板は、ステンドグラスであることを特徴とする請求項８または９に記載の自動調光パネルである。
【００２２】
本発明の請求項１６に係る発明は、前記ＤＣ／ＡＣ変換器が、前記液晶パネルを駆動する周波数は、２０Ｈｚ以上から１ｋＨｚ以下の範囲であることを特徴とする請求項８または９に記載の自動調光パネルである。
【００２３】
ここで、液晶パネルの駆動周波数が、２０Ｈｚ未満であると液晶パネルに、ちらつきが生じ、１ｋＨｚを超えると、液晶パネルを駆動するために高いエネルギーが必要となり、エネルギーロスが生ずる。
【００２４】
本発明の請求項１７に係る発明は、前記ＤＣ／ＡＣ変換器が、前記液晶パネルを駆動する電圧波形は、プラス側の波形の時間と、マイナス側の波形の時間とが異なっている非対称な交流波形であることを特徴とする請求項１６記載の自動調光パネルである。
【発明の効果】
【００２５】
本発明の請求項１の遮光機能付き太陽電池によれば、外部電源を使用しないで、自動的に、夜間に内部（室内）の光を遮断して、外部（室外）に漏れ出ないようにし、日中には外部（室外）の光を取り入れることが可能な遮光機能付き太陽電池を提供することができる。
【００２６】
本発明の請求項２，３，４，５の遮光機能付き太陽電池によれば、平坦な形状、および湾曲した形状の遮光機能付き太陽電池を提供することができ、応用範囲が広がる。
【００２７】
本発明の請求項６、７の遮光機能付き太陽電池によれば、ＤＣ／ＡＣ変換器が、安定して液晶パネルを駆動する遮光機能付き太陽電池を提供することができる。
【００２８】
本発明の請求項８、９の自動調光パネルによれば、外部電源を使用しないで、自動的に、夜間に内部（室内）の光を遮断して、外部（室外）に漏れ出ないようにし、日中には外部（室外）の光を取り入れることが可能な自動調光パネルを提供することができる。
【００２９】
本発明の請求項１０，１１，１２，１３の自動調光パネルによれば、平坦な形状、および湾曲した形状の自動調光パネルを提供することができ、応用範囲が広がる。
【００３０】
本発明の請求項１４，１５の自動調光パネルによれば、インテリア的感覚の優れた自動調光パネルを提供することができる。
【００３１】
本発明の請求項１６，１７の自動調光パネルによれば、液晶パネルを安定に駆動することができる自動調光パネルを提供できる。
【００３２】
本発明によれば、外部電源を使用しないで、自動的に、夜間には内部（室内）の光を遮断して、外部（室外）に漏れ出ないようにし、日中には外部（室外）の光を取り入れることができる遮光機能付き太陽電池および自動調光パネルを提供することができる。
【図面の簡単な説明】
【００３３】
【図１】実施例１の遮光機能付き太陽電池の図。
【図２】実施例２の湾曲した遮光機能付き太陽電池の図。図２（ａ）は、横方向に湾曲した形状の遮光機能付き太陽電池の図、図２（ｂ）は、縦方向に湾曲した形状の遮光機能付き太陽電池の図。
【図３】実施例３の自動調光パネルの図。
【図４】実施例４の湾曲した自動調光パネルの図。図４（ａ）は、横方向に湾曲した形状の自動調光パネルの図、図４（ｂ）は、縦方向に湾曲した形状の自動調光パネルの図。
【図５】透明有機薄膜太陽電池の図。
【図６】透明有機薄膜太陽電池の平面図と断面図。
【図７】透明有機薄膜太陽電池の特性図。
【図８】フイルムタイプの液晶パネルの印加電圧による遮光、透過光の概念図。
【図９】フイルムタイプの液晶パネルの印加電圧による分光特性。
【図１０】ＤＣ／ＡＣ変換器が液晶パネルを駆動する電圧波形の図。
【発明を実施するための形態】
【００３４】
本発明の実施の形態による遮光機能付き太陽電池は、透明有機薄膜太陽電池パネルと、液晶パネルとが積層され、前記透明有機薄膜太陽電池パネルからの直流電力を交流電力へ変換し、前記液晶パネルを駆動するＤＣ／ＡＣ変換器が配置されて構成された遮光機能付き太陽電池であって、前記遮光機能付き太陽電池は、夜間は、前記透明有機薄膜太陽電池パネルからの電力が発生せず、前記液晶パネルを遮断状態とし、日中は、前記透明有機薄膜太陽電池パネルからの電力によって、前記液晶パネルを透過状態とすることを特徴とする遮光機能付き太陽電池である。
【００３５】
ここで、前記遮光機能付き太陽電池において、前記透明有機薄膜太陽電池パネル、および前記液晶パネルは、共に、湾曲が可能なフイルム形体である場合、または、前記透明有機薄膜太陽電池パネルが湾曲が可能なフイルム形体であり、前記液晶パネルが、ガラス形体である場合、あるいは、前記透明有機薄膜太陽電池パネルがガラス形体であり、前記液晶パネルが、湾曲が可能なフイルム形体である場合、更に、前記透明有機薄膜太陽電池パネル、および前記液晶パネルが、共に、ガラス形体であることを特徴とする。
【００３６】
ここで、前記ＤＣ／ＡＣ変換器が、前記液晶パネルを駆動する周波数は、２０Ｈｚ以上から１ｋＨｚ以下の範囲である。また、前記ＤＣ／ＡＣ変換器が、前記液晶パネルを駆動する電圧波形は、プラス側の波形の時間と、マイナス側の波形の時間とが異る非対称な交流波形であることを特徴とする。
【００３７】
本発明の実施の形態による自動調光パネルは、１枚の外側構造透明板と、透明有機薄膜太陽電池パネルと、液晶パネルとがこの順に積層され、ならびに、前記透明有機薄膜太陽電池パネルからの直流電力を交流電力へ変換し、前記液晶パネルを駆動するＤＣ／ＡＣ変換器とで構成された自動調光パネルであって、前記自動調光パネルは、前記１枚の外側構造透明板が、太陽光を受光する側に配置されており、夜間は、前記透明有機薄膜太陽電池パネルからの電力がなく、前記液晶パネルを遮断状態とし、日中は、前記透明有機薄膜太陽電池パネルからの電力によって、前記液晶パネルを透過状態とすることを特徴とする自動調光パネルである。
【００３８】
ここで、前記１枚の外側構造透明板は、例えば、住宅のガラスが使用されるが、これに限られない。
【００３９】
本発明の実施の形態による自動調光パネルは、２枚の外側構造透明板と、前記２枚の外側構造透明板の間に挟まれて、透明有機薄膜太陽電池パネルと、液晶パネルとが積層され、ならびに、前記透明有機薄膜太陽電池パネルからの直流電力を交流電力へ変換し、前記液晶パネルを駆動するＤＣ／ＡＣ変換器とで構成された自動調光パネルであって、前記透明有機薄膜太陽電池パネルは、太陽光を受光する側に配置されており、夜間は、前記透明有機薄膜太陽電池パネルからの電力がなく、前記液晶パネルを遮断状態とし、日中は、前記透明有機薄膜太陽電池パネルからの電力によって、前記液晶パネルを透過状態とすることを特徴とする自動調光パネルである。
【００４０】
ここで、前記自動調光パネルにおいて、前記透明有機薄膜太陽電池パネル、および前記液晶パネルが、共に、湾曲が可能なフイルム形体である場合、または、前記透明有機薄膜太陽電池パネルが湾曲が可能なフイルム形体であり、前記液晶パネルが、ガラス形体である場合、または、前記透明有機薄膜太陽電池パネルがガラス形体であり、前記液晶パネルが、湾曲が可能なフイルム形体である場合、更に、前記透明有機薄膜太陽電池パネル、および前記液晶パネルが、共に、ガラス形体である場合のいずれかが選択される。
【００４１】
更に、前記外側構造透明板は、ガラス形体、あるいは湾曲が可能なフイルム形体であることを特徴とする。
【００４２】
ここで、前記２枚の外側構造透明板は、例えば、住宅の２重サッシ構造が使用されるが、これに限られない。
【００４３】
更に、前記外側構造透明板は、ステンドグラスが使用される場合もある。
【００４４】
前記自動調光パネルにおいて、前記ＤＣ／ＡＣ変換器が、前記液晶パネルを駆動する周波数は、２０Ｈｚ以上から１ｋＨｚ以下の範囲である。２０Ｈｚ未満であると、液晶パネルに、ちらつきが生じ、１ｋＨｚを超えると液晶パネルを駆動するために高いエネルギーが必要で、エネルギーロスが生ずるからである。
【００４５】
前記ＤＣ／ＡＣ変換器が、前記液晶パネルを駆動する電圧波形は、プラス側の波形の時間と、マイナス側の波形の時間とが異る非対称な交流波形であることを特徴とする。
【００４６】
（実施例１）
図１は、実施例１の遮光機能付き太陽電池の図である。前記遮光機能付き太陽電池１００は、全体として平面形状を形成している。前記遮光機能付き太陽電池１００は、透明有機薄膜太陽電池パネル２１、および液晶パネル３１が配置され、更に、端部の位置にＤＣ／ＡＣ変換器４０が配置されている。
【００４７】
前記ＤＣ／ＡＣ変換器４０は、前記透明有機薄膜太陽電池パネル２１が、太陽光５を受光して発生する直流電圧を交流電圧に変換し、変換した交流電圧を前記液晶パネル３１に印加して、前記液晶パネル３１を透過状態とする。ここで、液晶パネルの駆動周波数は、２０Ｈｚ以上から１ｋＨｚ以下、好ましくは５０Ｈｚ以上から１００Ｈｚ以下が選択される。２０Ｈｚ未満であると、液晶パネルに、ちらつきが生じ、１ｋＨｚを超えると液晶パネルを駆動するために高いエネルギーが必要で、エネルギーロスが生ずるからである。
【００４８】
（実施例２）
図２は、実施例２の湾曲した遮光機能付き太陽電池の図である。図２（ａ）は、横方向に湾曲した形状の遮光機能付き太陽電池の図、図２（ｂ）は、縦方向に湾曲した形状の遮光機能付き太陽電池の図である。それぞれ、透明有機薄膜太陽電池パネル２１ａ，２１ｂ，液晶パネル３１ａ，３１ｂは、湾曲することが可能な方式を採用している。
透明有機薄膜太陽電池パネルは、フイルムタイプであって、透明であれば、有機薄膜太陽電池、あるいは色素増感太陽電池、その他が使用される。また、液晶パネルは、フイルムタイプであって、液晶層中に、特殊な高分子によるネットワーク構造体を形成させた液晶が使用される。
【００４９】
本実施例の遮光機能付き太陽電池は、湾曲であることによって、更に、設置する場所が広がることとなる。
【００５０】
図１０は、実施例１、および実施例２でのＤＣ／ＡＣ変換器４０，４０ａ，４０ｂが、液晶パネル３１，３１ａ，３１ｂを駆動する電圧波形の図である。印加する電圧波形は、プラス側の波形の時間と、マイナス側の波形の時間とが異る非対称な交流波形である。
図１０（ａ）は、プラス側の波形の時間Ｔ１が、マイナス側の波形の時間Ｔ２より大なる場合であり、図１０（ｂ）は、プラス側の波形の時間Ｔ３が、マイナス側の波形の時間Ｔ４より小なる場合である。このように、非対称な駆動電圧波形によって、液晶パネルを安定に駆動することができる。なお、駆動電圧波形の形は、パルス波形、正弦波波形、三角波波形、それらに限られない。
【００５１】
（実施例３）
図３は、実施例３の自動調光パネル１０の図である。前記自動調光パネル１０は、全体として平面形状を形成している。前記自動調光パネル１０は、２枚の外側構造透明板１ａ，１ｂの間に、透明有機薄膜太陽電池パネル２、および液晶パネル３が配置され、更に、自動調光パネルの端部の位置にＤＣ／ＡＣ変換器４が配置されている。ここで、透明有機薄膜太陽電池パネル２は、自動調光パネルが受光する太陽光５の方に近い側の外側構造透明板１ａに隣接して配置されている。
【００５２】
前記ＤＣ／ＡＣ変換器４は、前記透明有機薄膜太陽電池パネル２が、太陽光５を受光して発生する直流電圧を交流電圧に変換し、変換した交流電圧を前記液晶パネル３に印加して、前記液晶パネル３を透過状態とする。ここで、液晶パネルの駆動周波数は、２０Ｈｚ以上から１ｋＨｚ以下が選択される。２０Ｈｚ未満であると、液晶パネルに、ちらつきが生じ、１ｋＨｚを超えると、液晶パネルを駆動するために高いエネルギーが必要で、エネルギーロスが生ずるからである。
【００５３】
外側構造透明板１ａ，１ｂは、ガラス、プラスチック、その他、透明な材料ならば、使用可能である。自動調光パネル１０は、特に部屋の窓、カーテンが引けない窓、あるいは太陽光を取り入れることのできる個所（部屋の天井などの場所も可能）に設置される。ここで、前記外側構造透明板１ａ，１ｂをステンドグラスにすると、更に、インテリア感覚的に優れた自動調光パネルとなる。
【００５４】
前記自動調光パネル１０は、液晶パネル３を駆動するのは、ＤＣ／ＡＣ変換器４であり、前記ＤＣ／ＡＣ変換器４は、透明有機薄膜太陽電池パネル２からの電圧で駆動され、従って、外部電源は、全く不要としている。更に、夜間は、前記透明有機薄膜太陽電池パネルからの電力がなく、前記液晶パネルは遮断状態となり、太陽光が得られる日中には、透明有機薄膜太陽電池パネルからの電力によって、前記液晶パネルが透過状態となり、自動的に夜間は、光が遮断され、太陽光が得られる日中には、光が透過状態となる。
【００５５】
(実施例４)
図４は、実施例２の湾曲した自動調光パネルの図である。図４（ａ）は、横方向に湾曲した形状の自動調光パネルの図、図４（ｂ）は、縦方向に湾曲した形状の自動調光パネルの図である。それぞれ、外側構造透明板、透明有機薄膜太陽電池パネル２ａ，２ｂ、液晶パネル３ａ，３ｂ，は、湾曲することが可能な方式を採用している。透明有機薄膜太陽電池パネルは、フイルムタイプであって、透明であれば、有機薄膜太陽電池、あるいは色素増感太陽電池、その他が使用される。また、液晶パネルは、フイルムタイプであって、液晶層中に、特殊な高分子によるネットワーク構造体を形成させた液晶が使用される。
【００５６】
なお、自動調光パネルとしての動作は、先の実施例３で説明した内容と同様である。湾曲であることによって、更に、設置する場所が広がることとなる。
【００５７】
なお、実施例３、実施例４では、外側構造透明板１ａ，１ｂ，１ｃ，１ｄ，１ｅ，１ｆは、両側に配置されているが、外側構造透明板は、片側のみの配置でも良い。
ここで、前記両側の２枚の外側構造透明板は、例えば、住宅の２重サッシ構造が使用されるが、これに限られない。また、片側の１枚の外側構造透明板は、例えば、住宅のガラスが使用されるが、これに限られない。
【００５８】
図１０は、実施例３、および実施例４でのＤＣ／ＡＣ変換器４，４ａ，４ｂが、液晶パネル３，３ａ，３ｂを駆動する電圧波形の図である。印加する電圧波形は、プラス側の波形の時間と、マイナス側の波形の時間とが異る非対称な交流波形である。図１０（ａ）は、プラス側の波形の時間Ｔ１が、マイナス側の波形の時間Ｔ２より大なる場合であり、図１０（ｂ）は、プラス側の波形の時間Ｔ３が、マイナス側の波形の時間Ｔ４より小なる場合である。このように、非対称な駆動電圧波形によって、液晶パネルを安定に駆動することができる。なお、駆動電圧波形の形は、パルス波形、正弦波波形、三角波波形、それらに限られない。
【００５９】
（実施例５）
図５は、透明有機薄膜太陽電池の図である。
構造は、以下の通りである。
基板／透明電極／電子輸送層／有機発電層／ホール輸送層／透明電極
ガラスタイプは、基板にガラスを用いたもの、フレキシブルタイプは、基板に
ＰＥＴやＰＥＮ等を用いたものである。
【００６０】
図６は、透明有機薄膜太陽電池の平面図（左）と断面図（右）である。
図６は、透明有機薄膜太陽電池の大型化（２０ｃｍ□）に対応した構造である。１基板の中で１０素子が直列に接続された構造であり、これによって、６Ｖの出力電圧を得ることができた。
【００６１】
図７は、透明有機薄膜太陽電池の特性図である。基板内にて、１０個の素子が、直列に接続されている。光源には、照度１００ｍＷ／ｃｍ２の太陽光を用いた。
【００６２】
（実施例６）
図８は、フイルムタイプの液晶パネルの印加電圧による遮光、透過光の概念図である。図９は、フイルムタイプの液晶パネルの印加電圧による分光特性である。本フイルムタイプの液晶パネルは、液晶層中に特殊な高分子によるネットワーク構造体を形成させたもので、このポリマーネットワークの作用により、液晶分子の配列が不規則な状態を誘起して光を散乱させ、紙に類似した白さを実現する。この状態にて電圧を加えると、液晶分子は電界方向に配列して透明となる。
【産業上の利用可能性】
【００６３】
本発明によれば、外部電源を使用しないで、自動的に、夜間には内部（室内）の光を遮断して、外部（室外）に漏れ出ないようにし、日中には外部（室外）の光を取り入れることが可能な遮光機能付き太陽電池および自動調光パネルを提供することができ、更に前記遮光機能付き太陽電池および自動調光パネルは、湾曲することも可能であり、住宅、建物への応用が可能であり、産業に寄与する。
【符号の説明】
【００６４】
１ａ，１ｂ，１ｃ，１ｄ，１ｅ，１ｆ    外側構造透明板
２，２ａ，２ｂ、２１、２１ａ，２１ｂ  透明有機薄膜太陽電池パネル
３，３ａ，３ｂ、３１，３１ａ，３１ｂ  液晶パネル
４，４ａ，４ｂ、４０，４０ａ，４０ｂ  ＤＣ／ＡＣ変換器
５                                    太陽光
１０，１１，１２                      自動調光パネル
１００，１０１，１０２                遮光機能付き太陽電池
【図１】
2015071910.tif 000003
【図２】
2015071910.tif 000004
【図３】
2015071910.tif 000005
【図４】
2015071910.tif 000006
【図５】
2015071910.tif 000007
【図６】
2015071910.tif 000008
【図７】
2015071910.tif 000009
【図８】
2015071910.tif 000010
【図９】
2015071910.tif 000011
【図１０】
2015071910.tif 000012